(57)【要約】【課題】実際の動作に則して電源となる電池を管理し、確実に一連の画像の投影、表示を完了させる。【解決手段】電源として装置の動作電力を供給するバッテリ34と、光源ランプ18と、光源ランプ18の光を用いて光像を形成し、投影対象に向けて投射する投影系14〜17，19〜24と、投影系14〜17，19〜24による投影時間を入力する操作部29と、操作部29で入力した投影時間とバッテリ34の残容量とにより光源ランプ18の発光状態を調整する制御系25〜28とを備える。【選択図】図１
2009244341.tif 000002
【特許請求の範囲】
【請求項１】
電源として装置の動作電力を供給する電池と、
光源と、
上記光源の発する光を用いて、入力される画像信号に応じた光像を形成し、形成した光像を投影対象に向けて投射する投影手段と、
上記投影手段による投影時間を入力する時間入力手段と、
上記時間入力手段で入力した投影時間と上記電池の残容量とにより上記光源の発光状態を調整する電源調整手段と
を具備したことを特徴とする投影装置。
【請求項２】
上記投影手段での投影経過時間を計測する計時手段と、
上記計時手段で計測する投影経過時間に応じて上記投影手段で投影する光像中に時間情報を重畳させる投影制御手段と
をさらに具備したことを特徴とする請求項１記載の投影装置。
【請求項３】
上記時間入力手段で入力した投影時間が上記電源調整手段による上記光源の発光状態の調整範囲を超えている場合に、入力した投影時間での投影動作が不可能であることを警告する警告手段をさらに具備したことを特徴とする請求項１記載の投影装置。
【請求項４】
上記電源調整手段は、光源の発光状態を調整して上記投影手段による投影動作を実行している際に、上記時間入力手段による投影時間の再入力を受付け、受付けた投影時間とその時点の上記電池の残容量とにより上記光源の発光状態を再度調整することを特徴とする請求項１記載の投影装置。
【請求項５】
電源として装置の動作電力を供給する電池と、
画像を表示する表示手段と、
与えられる画像信号に基づいて上記表示手段を駆動する表示駆動手段と、
上記表示手段による表示時間を入力する時間入力手段と、
上記時間入力手段で入力した投影時間と上記電池の残容量とにより上記表示駆動手段による上記表示手段の駆動状態を調整する電源調整手段と
を具備したことを特徴とする表示装置。
【請求項６】
電源として装置の動作電力を供給する電池と、光源と、上記光源の発する光を用いて、入力される画像信号に応じた光像を形成し、形成した光像を投影対象に向けて投射する投影部とを備えた投影装置での投影方法であって、
上記投影部による投影時間を入力する時間入力工程と、
上記時間入力工程で入力した投影時間と上記電池の残容量とにより上記光源の発光状態を調整する電源調整工程と
を有したことを特徴とする投影方法。
【請求項７】
電源として装置の動作電力を供給する電池と、光源と、上記光源の発する光を用いて、入力される画像信号に応じた光像を形成し、形成した光像を投影対象に向けて投射する投影部とを備えた投影装置が内蔵するコンピュータが実行するプログラムであって、
上記投影部による投影時間を入力する時間入力ステップと、
上記時間入力ステップで入力した投影時間と上記電池の残容量とにより上記光源の発光状態を調整する電源調整ステップと
をコンピュータに実行させることを特徴とするプログラム。
【発明の詳細な説明】
【技術分野】
【０００１】
本発明は、例えば電池駆動のデータプロジェクタ装置等に好適な投影装置、表示装置、投影方法及びプログラムに関する。
【背景技術】
【０００２】
近時、パーソナルコンピュータの普及に伴って、パーソナルコンピュータをデータプロジェクタ装置に接続してプレゼンテーションを行なう事例が増えている。このような場合、ノートブックタイプのパーソナルコンピュータでは電池駆動で連続稼働時間が１０時間を超える機種が多数存在する。一方で、電池駆動式のデータプロジェクタ装置では、光源である高圧水銀ランプ等の発光駆動とその冷却とに多くの電力を消費してしまう関係から、ノートブックタイプのパーソナルコンピュータと同等の連続稼働時間を有するまでには至っておらず、結果としてシステムとしての機動性を損なう一因となっていた。
【０００３】
この種の電池駆動式プロジェクタで容量に制限のある電池をより有効に活用する技術として、残容量検出部が検出した電池の残容量に応じて、制御部が光源ランプから検出される照明光の明るさや、投写光学系の投写領域を制御し、スクリーン上に投写される画像の表示態様、すなわち投写画像の明るさやサイズを変化させるようにしたものが考えられている。（例えば、特許文献１）
【特許文献１】特開２００３−１４９７３３号公報
【発明の開示】
【発明が解決しようとする課題】
【０００４】
しかしながら上記特許文献１に記載された技術は、単に電源である電池の残容量に応じて投影される画像の明るさ等を制御するに過ぎない。そのため、電池の残容量からその後に継続して投影動作を行なうことが可能な時間は一意に定まるものである。例えばプレゼンテーション等にそのプロジェクタを使用する場合でも、単に投影画像中に電池残容量の減少が報知されるだけで、プレゼンテーションに必要な時間等に関しては一切考慮されない。
【０００５】
本発明は上記のような実情に鑑みてなされたもので、その目的とするところは、実際の動作に則して電源となる電池を管理し、確実に一連の画像の投影、表示を完了させることが可能な投影装置、表示装置、投影方法及びプログラムを提供することにある。
【課題を解決するための手段】
【０００６】
請求項１記載の発明は、電源として装置の動作電力を供給する電池と、光源と、上記光源の発する光を用いて、入力される画像信号に応じた光像を形成し、形成した光像を投影対象に向けて投射する投影手段と、上記投影手段による投影時間を入力する時間入力手段と、上記時間入力手段で入力した投影時間と上記電池の残容量とにより上記光源の発光状態を調整する電源調整手段とを具備したことを特徴とする。
【０００７】
請求項２記載の発明は、上記請求項１記載の発明において、上記投影手段での投影経過時間を計測する計時手段と、上記計時手段で計測する投影経過時間に応じて上記投影手段で投影する光像中に時間情報を重畳させる投影制御手段とをさらに具備したことを特徴とする。
【０００８】
請求項３記載の発明は、上記請求項１記載の発明において、上記時間入力手段で入力した投影時間が上記電源調整手段による上記光源の発光状態の調整範囲を超えている場合に、入力した投影時間での投影動作が不可能であることを警告する警告手段をさらに具備したことを特徴とする。
【０００９】
請求項４記載の発明は、上記請求項１記載の発明において、上記電源調整手段は、光源の発光状態を調整して上記投影手段による投影動作を実行している際に、上記時間入力手段による投影時間の再入力を受付け、受付けた投影時間とその時点の上記電池の残容量とにより上記光源の発光状態を再度調整することを特徴とする。
【００１０】
請求項５記載の発明は、電源として装置の動作電力を供給する電池と、画像を表示する表示手段と、与えられる画像信号に基づいて上記表示手段を駆動する表示駆動手段と、上記表示手段による表示時間を入力する時間入力手段と、上記時間入力手段で入力した投影時間と上記電池の残容量とにより上記表示駆動手段による上記表示手段の駆動状態を調整する電源調整手段とを具備したことを特徴とする。
【００１１】
請求項６記載の発明は、電源として装置の動作電力を供給する電池と、光源と、上記光源の発する光を用いて、入力される画像信号に応じた光像を形成し、形成した光像を投影対象に向けて投射する投影部とを備えた投影装置での投影方法であって、上記投影部による投影時間を入力する時間入力工程と、上記時間入力工程で入力した投影時間と上記電池の残容量とにより上記光源の発光状態を調整する電源調整工程とを有したことを特徴とする。
【００１２】
請求項７記載の発明は、電源として装置の動作電力を供給する電池と、光源と、上記光源の発する光を用いて、入力される画像信号に応じた光像を形成し、形成した光像を投影対象に向けて投射する投影部とを備えた投影装置が内蔵するコンピュータが実行するプログラムであって、上記投影部による投影時間を入力する時間入力ステップと、上記時間入力ステップで入力した投影時間と上記電池の残容量とにより上記光源の発光状態を調整する電源調整ステップとをコンピュータに実行させることを特徴とする。
【発明の効果】
【００１３】
本発明によれば、実際の動作に則して電源となる電池を管理し、確実に一連の画像の投影、表示を完了させることが可能となる。
【発明を実施するための最良の形態】
【００１４】
（構成）  
以下本発明を電池駆動のＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１５】
図１は、同実施形態に係るデータプロジェクタ装置１０が備える電子回路の機能構成を示すブロック図である。  
同図で、１１はデータプロジェクタ装置１０の本体ケーシング背面側に設けられる入出力コネクタ部であり、例えばピンジャック（ＲＣＡ）タイプのビデオ入力端子、Ｄ−ｓｕｂ１５のＲＧＢ入力端子、及びＵＳＢ端子からなる。
【００１６】
入出力コネクタ部１１より入力される各種規格の画像信号は、入出力インタフェース（Ｉ／Ｆ）１２、システムバスＳＢを介して画像変換部１３に送られる。画像変換部１３は、一般にスケーラとも称されるもので、送られてきた画像信号に対して解像度数、階調数等を含む投影に適した所定のフォーマットの画像信号に統一した後に、投影画像処理部１４へ送る。
【００１７】
この際、ＯＳＤ（Ｏｎ  Ｓｃｒｅｅｎ  Ｄｉｓｐｌａｙ）用の文字画像やポインタ等の記号も必要に応じて画像信号上に重畳加工された状態で投影画像処理部１４へ送られる。
【００１８】
投影画像処理部１４は、送られてきた画像信号をビデオＲＡＭ１５に展開して記憶させた上でこのビデオＲＡＭ１５の記憶内容からビデオ信号を生成する。
【００１９】
投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２０】
このマイクロミラー素子１６は、アレイ状に配列された複数、例えばＸＧＡ（横１０２４×縦７６８ドット）分の微小ミラーの各傾斜角度を個々に高速でオン／オフ動作制御することでその反射光により光像を形成する。
【００２１】
一方で、リフレクタ１７内に配置された、超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２２】
そして、マイクロミラー素子１６での反射光で光像が形成され、形成された光像が投影レンズユニット２２を介して、投影対象となるここでは図示しないスクリーンに投影表示される。
【００２３】
上記投影レンズユニット２２は、合焦位置及びズーム位置（投影画角）を任意に可変できるものとする。すなわち、投影レンズユニット２２を構成する複数の光学レンズ中、図示しないフォーカスレンズ及びズームレンズはそれぞれ光軸方向に沿って前後に移動することで制御されるもので、それらレンズはステッピングモータ（Ｍ）２３の回動駆動により移動する。
【００２４】
そして、上記光源ランプ１８の点灯、上記カラーホイール１９用のモータ（Ｍ）２４の回転、及び上記ステッピングモータ２３の回動をいずれも投影光処理部２５が実行する。
【００２５】
投影光処理部２５はまた、必要に応じて光源ランプ１８に供給する駆動電流を可変して発光輝度の調整を行なう。
【００２６】
上記各回路の動作すべてをＣＰＵ２６が制御する。このＣＰＵ２６は、電源のオン／オフに関係なく計時動作を実行するＲＴＣ（Ｒｅａｌ  Ｔｉｍｅ  Ｃｌｏｃｋ）２６ａを内蔵すると共に、ＤＲＡＭで構成されたメインメモリ２７、動作プログラムや各種定型データ等を記憶した電気的書換可能な不揮発性メモリでなるプログラムメモリ２８を用いてこのデータプロジェクタ装置１０内の制御動作を実行する。
【００２７】
上記ＣＰＵ２６は、操作部２９からのキー操作信号に応じて各種投影動作を実行する。この操作部２９は、データプロジェクタ装置１０の本体に設けられるキー操作部と、このデータプロジェクタ装置１０専用の図示しないリモートコントローラからの赤外光を受信するレーザ受光部を含み、ユーザが直接またはリモートコントローラを介して操作したキーに基づくキー操作信号をＣＰＵ２６へ直接出力する。
【００２８】
上記ＣＰＵ２６はさらに、上記システムバスＳＢを介してインジケータ部３０、音声処理部３１、及び電源処理部３２と接続される。
【００２９】
インジケータ部３０は、このデータプロジェクタ装置１０の筐体上面に配設され、このデータプロジェクタ装置１０の動作状態、例えば電源のオン／オフ状態、光源ランプ１８の温度異常、投影レンズユニット２２による自動合焦／台形補正動作等を各種ＬＥＤランプによる点灯／点滅によって表示する。
【００３０】
音声処理部３１は、ＰＣＭ音源等の音源回路を備え、投影動作時に与えられる音声データをアナログ化し、スピーカ部３３を駆動して拡声放音する一方で、必要によりビープ音等を発生させる。
【００３１】
電源処理部３２は、このデータプロジェクタ装置１０の電源であるバッテリ３４の管理を行なうもので、バッテリ３４から得られる電力を適宜必要な電圧に変換して上記各回路へ供給する他、上記ＣＰＵ２６の要求によりバッテリ３４の残容量を検出する。バッテリ３４は、二次電池、例えばリチウムイオン電池とそのドライブ回路で構成する。
【００３２】
（動作）  
次に上記実施形態の動作について説明する。  
なお、本実施形態では、投影光処理部２５が電源処理部３２から供給される電力を用い、光源ランプ１８に定格電圧を印加した上でその駆動電流を制御することで光源ランプ１８での発光輝度を調整可能であるものとする。  
すなわち、バッテリ３４の残容量が充分にある場合や、投影しようとする一連の画像データに対する投影時間を設定しない場合には、投影光処理部２５が光源ランプ１８に通常の駆動電流を供給することで通常の明るさによる投影動作を行なう一方で、バッテリ３４の残容量をより有効に活用して投影時間を確保したい場合には、上記通常の明るさより暗い輝度で光源ランプ１８を発光させるものとして、光源ランプ１８へ供給する電流値をより小さい値に制御する。
【００３３】
その場合、光源ランプ１８で安定した発光を維持しながら、最も輝度が小さくなる駆動電流値を下限とし、上記通常の明るさでの投影を行なう場合の駆動電流値を上限として、投影光処理部２５は上限から下限に至るまでの複数段階の駆動電流値のいずれかにより光源ランプ１８を発光させるものとする。
【００３４】
図２は、操作部２９の電源キーを操作して電源を投入した後の投影動作に関する処理内容を示すものである。この図２で示す動作制御は、すべてＣＰＵ２６がプログラムメモリ２８に記憶された動作プログラムを読出してメインメモリ２７に展開しながら実行する。
【００３５】
投影動作当初には、その後に行なう投影動作で使用する投影時間の入力を促すガイドメッセージとその選択肢、例えば  
「時間に合せて電源のマネージメントを行ないます  
使用時間を入力して下さい  
入力する／入力しない」  
を表示する（ステップＳ１０１）。このとき、デフォルトでは上記ガイドメッセージ中の「入力する」部分を反転表示しておき、上記操作部２９を構成するカーソルキー（上下左右の各方向キー）または「Ｅｎｔ」キーのユーザによる操作に応じて、時間を入力するか否かを判断する（ステップＳ１０２）。
【００３６】
ここで、ユーザの操作に対応して使用時間を入力しないと判断した場合には、光源ランプ１８の輝度の制御を行なわず、そのまま投影光処理部２５により光源ランプ１８を通常の輝度で発光させるものとする。
【００３７】
以後、入出力コネクタ部１１より入力される画像信号に対応した光像を投影レンズユニット２２より投影対象のスクリーンに投影する通常の投影動作を実行しながら（ステップＳ１０３）、電源処理部３２によりバッテリ３４の残容量を検出させて投影に必要な電力が残っているか否かを判断し（ステップＳ１０４）、残っていれば上記ステップＳ１０３に進む。
【００３８】
こうしてステップＳ１０３，Ｓ１０４の処理を繰返しながら通常の投影動作を続行し、投影動作に必要なバッテリ３４の残容量がなくなった時点で上記ステップＳ１０４によりそれを判断して、以上でこの図２による投影動作を終了する。
【００３９】
このように、投影動作の使用時間を入力しない場合には、実際の投影動作にどの程度時間を要するのかに一切関係なく、バッテリ３４の残容量がなくなるまで通常の投影動作を維持し、バッテリ３４の残容量がなくなった時点で投影動作を終了するものとする。
【００４０】
一方で、上記ステップＳ１０２でユーザの操作に応じて使用時間を入力すると判断した場合には、次いで使用時間の入力画面に遷移し、操作部２９のカーソルキー（上下左右の各方向キー）及び「Ｅｎｔ」キーにより使用時間、例えば分数を示す十の位の数値及び一の位の数値の入力を順次受付けて、「Ｅｎｔ」キーが操作された時点で入力された使用時間をメインメモリ２７に設定する（ステップＳ１０５）。
【００４１】
次いでその時点でのバッテリ３４の残容量を電源処理部３２により検出させる（ステップＳ１０６）。
【００４２】
そして検出したバッテリ３４の残容量と、上記設定した投影動作の使用時間による通常の投影動作での消費電力とを比較し（ステップＳ１０７）、現状のバッテリ３４の残容量で、設定した使用時間だけ通常の投影動作を実行することができるか否かを、上記設定した投影動作の使用時間による通常の投影動作での消費電力がバッテリ３４の残容量以下であるか否かにより判断する（ステップＳ１０８）。
【００４３】
この際、上記の設定した使用時間にかかる消費電力は、通常の投影動作にかかる電力値と設定した使用時間とを乗算することにより算出してもよいし、予め複数の使用時間に対応した通常の投影動作による消費電力を記憶したテーブルをプログラムメモリ２８などに記憶しておき、上述のように使用時間が入力されると当該テーブルから対応する消費電力を導出することとしてもよい。
【００４４】
いずれにしても、現状のバッテリ３４の残容量で設定された使用時間通常の投影動作可能か否かを判断するために上記の消費電力を得るもので、この消費電力を導出する方法は特に限定するものではない。
【００４５】
ここで、設定した使用時間だけ通常の投影動作を実行することができると判断した場合は、上記ＲＴＣ２６ａを用い、設定した使用時間の計時を開始した上で（ステップＳ１１２）、入出力コネクタ部１１に入力される画像信号に応じた画像に対し、残りの使用時間を重畳した画像をマイクロミラー素子１６で表示させて光像を形成し、投影レンズユニット２２より投影対象となるスクリーンに投影させる（ステップＳ１１３）。
【００４６】
これと共に、ＲＴＣ２６ａによる残りの使用時間が「０（ゼロ）」となったか否か、または電源処理部３２の残容量がなくなったか否か、の少なくとも一方に該当するかどうかを判断し（ステップＳ１１４）、そうでなければ再び上記ステップＳ１１３の処理に戻る。
【００４７】
こうしてステップＳ１１３，Ｓ１１４の処理を繰返し実行することで、残りの使用時間の画像を合わせた通常の投影動作を続行しながら、残りの使用時間がなくなるか、あるいは電源処理部３２の残容量がなくなるのを待機する。
【００４８】
図３及び図４は、このとき投影対象のスクリーン上で投影される画面の内容を例示するものである。図３では、投影画面の右下側で、電源処理部３２の残容量に応じた電池のシンボルマークと合わせて、「あと４３（分）：２１（秒）」のように残りの使用時間を直接表記している。
【００４９】
また、図４は、投影画面の右下側で、円グラフ状で残りの使用時間の秒数部分を表現しながら、同円グラフの中央に位置する円内で「Ｂａｔｔ  残４３（分）」のように残りの使用時間を視覚的に理解しやすい形態で表記している。
【００５０】
このような残りの残り時間の表記を伴う通常の明るさでの投影動作を続行し、残りの使用時間が「０（ゼロ）」となるか、または電源処理部３２の残容量がなくなった時点で上記ステップＳ１１４によりそれを判断し、以上でこの図２による投影動作を終了する。
【００５１】
このように、投影動作の使用時間を入力した場合でも、入力した使用時間に比して電源処理部３２の残容量が十分あると判断した場合には、光源ランプ１８での発光輝度を調整することなく、残りの使用時間の表記と合わせて通常の投影動作を維持し、残りの使用時間がなくなるか、またはバッテリ３４の残容量がなくなった時点で投影動作を終了するものとする。
【００５２】
また上記ステップＳ１０８で、設定した投影動作の使用時間による通常の投影動作での消費電力がバッテリ３４の残容量を上回っており、設定した使用時間だけ通常の投影動作を実行することができないと判断した場合には、次いで光源ランプ１８での発光輝度を調整することで上記設定した使用時間だけの投影動作が可能となる範囲内であるか否かを判断する（ステップＳ１０９）。
【００５３】
これは、光源ランプ１８を、最も輝度が小さくなる駆動電流値に調整して設定した使用時間投影動作した場合の消費電力が電源処理部３２の残容量以下であるか否かにより判断するもので、調整可能範囲を外れてしまっていると判断した場合、すなわち光源ランプ１８を最小の輝度レベルとしても現状のバッテリ残容量では設定した使用時間だけ投影動作を実行することができないと判断した場合には、電池残量が設定した使用時間に比して少なすぎる旨の警告メッセージの画像を、例えば  
「バッテリの残量が少ないため、  
入力された使用時間では  
投影を完了することができません  
もう一度使用時間を入力し直して下さい」  
のように投影対象のスクリーン上に一定時間投影させた後に（ステップＳ１１０）、再び上記ステップＳ１０１からの処理に戻り、再度の使用時間の入力を待機する。
【００５４】
また上記ステップＳ１０９で、光源ランプ１８を、最も輝度が小さくなる駆動電流値に調整して設定した使用時間投影動作した場合の消費電力が電源処理部３２の残容量以下であり、光源ランプ１８での発光輝度を調整することで上記設定した使用時間だけの投影動作が可能となると判断した場合には、電源処理部３２で検出したバッテリ３４の残容量を設定した使用時間で除算してその商から光源ランプ１８での駆動電流を算出し、投影光処理部２５に対して光源ランプ１８の駆動電流を算出した値に設定させた上で（ステップＳ１１１）、上記ステップＳ１１２以降の処理に遷移する。
【００５５】
以後、光源ランプ１８での発光輝度を調整した状態で、残りの使用時間の表記と合わせて輝度を抑制した状態での投影動作を維持し、残りの使用時間がなくなるか、またはバッテリ３４の残容量がなくなった時点で投影動作を終了する。
【００５６】
このように、投影動作の使用時間を入力した場合でも、入力した使用時間に比して電源処理部３２の残容量が不十分であると判断した場合には、当該入力した使用時間中は投影動作可能なように光源ランプ１８での発光輝度を調整することで消費電力を抑え、残りの使用時間を表記しながら投影動作を維持し、残りの使用時間がなくなるか、またはバッテリ３４の残容量がなくなった時点で投影動作を終了するものとする。
【００５７】
（本実施形態の効果）
以上に示した如く本実施形態によれば、実際に必要な投影動作に則して電源となるバッテリ３４を管理し、確実に一連の画像の投影を完了させることが可能となる。
【００５８】
また、上記実施形態では、設定した使用時間に対する経過情報として、画像中に残りの使用時間を重畳して投影させるものとした。これにより、例えばプレゼンテーションを行なうユーザが画像中の残り使用時間から経過の状態を把握することができるため、設定した使用時間を守って使用時間内に投影動作を完了させることができる可能性を向上できる。
【００５９】
さらに、設定した使用時間が電源処理部３２の残容量に比して非常に大きく、光源ランプ１８の発光輝度をどのように調整しても設定した使用時間だけの投影動作を実行することができない場合には、投影動作に先立って設定した使用時間での投影動作が不可能であることを警告メッセージとして報知させるものとしたので、ユーザは電源処理部３２の残容量を正確に把握して、再度使用時間を入力し直すなど、現実的な対処を実行できる。
【００６０】
（他の動作）  
上記した動作では、一度設定して、電源処理部３２で検出するバッテリ３４の残容量から光源ランプ１８の輝度を調整すれば投影動作可能な範囲内であると判断された使用時間に関しては、そのまま投影動作が完了するまで変更しないものとして説明したが、実際のプレゼンテーション等では、投影動作時の状況に応じて使用時間を変更することも多々あり得る。
【００６１】
そのため、上記動作の説明の一部、具体的には上記図２のステップＳ１１１〜Ｓ１１４の処理に代えて、図５に示すような処理内容を実行することで、投影途中での使用時間の変更にも対処できる。
【００６２】
以下図５乃至図８を用いて本実施形態の動作の一部変形例についても説明する。  
図５では、上記ステップＳ１１１で投影光処理部２５により光源ランプ１８の駆動電流を調整して設定させ、さらにステップＳ１１２でＲＴＣ２６ａによる残りの使用時間の計時を開始させた後、入出力コネクタ部１１に入力される画像信号に応じた画像に対し、残りの使用時間と時間の再入力をガイドする画像とを重畳した画像をマイクロミラー素子１６で表示させて光像を形成し、投影レンズユニット２２より投影対象となるスクリーンに投影させる（ステップＳ２０１）。
【００６３】
図６では、投影画面の右下側で、電源処理部３２の残容量に応じた電池のシンボルマークと合わせて、「あと４３（分）：２１（秒）」のように残りの使用時間を直接表記すると共に、使用時間の再入力を行なう場合には操作部２９の「Ｍｅｎｕ」キーを操作することを「時間再入力：［Ｍｅｎｕ］」のように表記している。
【００６４】
このような投影を行ないながら、ＲＴＣ２６ａによる残りの使用時間が「０（ゼロ）」となったか否か、または電源処理部３２の残容量がなくなったか否か、の少なくとも一方に該当するかどうかを判断する（ステップＳ１１４）。
【００６５】
このステップＳ１１４でいずれにも該当しないと判断すると、さらに上記使用時間の再入力を指示するキー操作がなされたか否かを判断し（ステップＳ２０２）、キー操作がなされていなければ再び上記ステップＳ２０１の処理に戻る。
【００６６】
こうしてステップＳ２０１，Ｓ１１４，Ｓ２０２の処理を繰返し実行することで、残りの使用時間、及び使用時間の再入力を促す画像を合わせた投影動作を続行しながら、残りの使用時間がなくなるか、電源処理部３２の残容量がなくなるか、あるいは使用時間の再入力を指示するキー操作がなされるのを待機する。
【００６７】
そして、使用時間の再入力を指示するキー操作がなされると、上記ステップＳ２０２でそれを判断し、次いで使用時間の再入力画面に遷移し、操作部２９のカーソルキー（上下左右の各方向キー）及び「Ｅｎｔ」キーにより使用時間、例えば分数を示す十の位の数値及び一の位の数値の入力を順次受付けて、「Ｅｎｔ」キーが操作された時点で入力された使用時間をメインメモリ２７に設定する（ステップＳ２０３）。
【００６８】
次いでその時点でのバッテリ３４の残容量を電源処理部３２により検出させる（ステップＳ２０４）
そして検出したバッテリ３４の残容量と、上記再度設定した投影動作の使用時間による投影動作での消費電力とを比較し（ステップＳ２０５）、現状のバッテリ３４の残容量で、設定した使用時間だけの投影動作を実行することができるか否かを、上記設定した投影動作の使用時間による光源ランプ１８の最小輝度での投影動作での消費電力がバッテリ３４の残容量以下であるか否かにより判断する（ステップＳ２０６）。
【００６９】
ここで、再度設定した使用時間だけ光源ランプ１８への駆動電流を最小レベルにした場合の消費電力が電源処理部３２の残容量以下であり、光源ランプ１８での発光輝度を調整することで上記再度設定した使用時間だけの投影動作が可能となると判断した場合には、そのまま再び上記ステップＳ１１１に進んで、再度設定された使用時間と電源処理部３２の残容量に応じ、投影光処理部２５に対して光源ランプ１８の駆動電流を設定させた上で、上記ステップＳ１１２以降の処理に遷移する。
【００７０】
また上記ステップＳ２０６で、再度設定した使用時間だけ光源ランプ１８への駆動電流を最小レベルにした場合の消費電力が電源処理部３２の残容量を超えており、光源ランプ１８を最小の輝度レベルとしても再度設定した使用時間だけ投影動作を実行することができないと判断した場合には、あらためて光源ランプ１８を最小の輝度レベルとした場合に使用可能な時間を電源処理部３２の残容量から算出して設定した上で（ステップＳ２０７）、上記ステップＳ１１２以降の処理に遷移する。
【００７１】
図７は、このとき合わせて投影対象のスクリーン上に一定時間投影させ屡ガイドメッセージを例示するものである。ここでは、電池残量が再度設定した使用時間に比して少なすぎるため、やむなく電源処理部３２の残容量に応じて最も長く使用時間を設定した旨を、例えば  
「バッテリの残量が少ないため、  
ランプを最小輝度にして  
使用可能時間５４（分）：３２（秒）です」  
のように投影対象のスクリーン上に一定時間投影させるものとしている。
【００７２】
このように、一旦設定した使用時間に基づいて投影動作を実行している途中からでも、さらに使用時間の再入力を受付け、受付けた使用時間とその時点の電源処理部３２の残容量とにより光源ランプ１８の発光輝度を再度調整することにより、できるだけ再入力した使用時間での投影動作を実現できるものとしたため、実際に必要な投影動作により柔軟に対応して電源となるバッテリ３４を管理し、確実に一連の画像の投影を完了させることが可能となる。
【００７３】
なお、上記実施形態では、本発明をＤＬＰ方式のデータプロジェクタ装置に適用した場合について説明したが、本発明は光像を形成する素子等を限定するものではなく、マイクロミラー素子１６に代えて透過型のカラー液晶パネルを用いる液晶プロジェクタや、光源となるＲＧＢの各ＬＥＤ群が色成分に合わせて時分割で発光することにより、モノクロの液晶パネルでカラーの光像を形成して投影するフィールド・シーケンシャル方式のプロジェクタ装置など、その他の投影装置にも同様に適用可能であり、さらに投影装置に限らず、バックライト付きの液晶表示パネルで当該バックライトの発光状態を調整する場合など、電源として容量が制限された電池を使用し、表示部の駆動状態を調整することで表示可能な時間を加減調整できるような表示装置であれば、いずれにも適用可能となる。
【００７４】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件による適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７５】
【図１】本発明の一実施形態に係るデータプロジェクタ装置の電子回路の機能構成を示すブロック図。
【図２】同実施形態に係る投影動作時の主として電源管理に関連した処理内容を示すフローチャート。
【図３】同実施形態に係る投影画像の内容を例示する図。
【図４】同実施形態に係る投影画像の内容を例示する図。
【図５】同実施形態に係る投影動作時の主として電源管理に関連した他の処理内容を示すフローチャート。
【図６】同実施形態に係る投影画像の内容を例示する図。
【図７】同実施形態に係る投影画像の内容を例示する図。
【符号の説明】
【００７６】
１０…データプロジェクタ装置、１１…入出力コネクタ部、１２…入出力インタフェース（Ｉ／Ｆ）、１３…画像変換部、１４…投影画像処理部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…投影レンズユニット、２３…ステッピングモータ（Ｍ）、２４…モータ（Ｍ）、２５…投影光処理部、２６…ＣＰＵ、２６ａ…ＲＴＣ、２７…メインメモリ、２８…プログラムメモリ、２９…操作部、３０…インジケータ部、３１…音声処理部、３２…電源処理部、３３…スピーカ部、３４…バッテリ、ＳＢ…システムバス。
【図１】
2009244341.tif 000003
【図２】
2009244341.tif 000004
【図３】
2009244341.tif 000005
【図４】
2009244341.tif 000006
【図５】
2009244341.tif 000007
【図６】
2009244341.tif 000008
【図７】
2009244341.tif 000009